(57)【要約】【課題】現在、化粧品はコンビニエンスストア、全国チェーンのドラッグストア等でも販売されている。化粧品メーカーとしては、販売店にできるだけ目立つよう陳列してもらいたいのであるが、それは非常に手間で難しい。勿論、メーカーから販売店に商品を持って行き、メーカーの担当者がそこで陳列すればよいが、物理的に日本中のドラッグストアを含む店舗に陳列をする事は不可能である。そこで、どこの販売店で誰でも簡単に陳列でき、メーカーの者が持参する事なく、送ることができる梱包方法を提供する。【解決手段】化粧品又は医薬部外品の梱包方法であって、１つの箱体内に少なくともラッピングした複数の商品、テスター、広告宣伝看板が、陳列できる状態で収納された什器をそのままの状態で取り出せるように梱包したもの。【選択図】  図１
2008068878.tif 000002
【特許請求の範囲】
【請求項１】
化粧品又は医薬部外品の梱包方法であって、１つの箱体内に少なくともラッピングした複数の商品、テスター、広告宣伝看板が、陳列できる状態で収納された什器をそのままの状態で取り出せるように梱包したことを特徴とする化粧品又は医薬部外品の梱包方法。
【請求項２】
該梱包には、取り出しやすいように該什器の下方から梱包容器のサイドに延びた取り出し具を設けたものである請求項１記載の化粧品又は医薬部外品の梱包方法。
【請求項３】
該什器には更に試供品交換券を収納したものである請求項１又は２記載の化粧品又は医薬部外品の梱包方法。
【請求項４】
該什器には更に販売元に種々の物品を請求するためのハガキが備えられているものである請求項１〜３記載の化粧品又は医薬部外品の梱包方法。
【発明の詳細な説明】
【技術分野】
【０００１】
本発明は、化粧品又は医薬部外品の梱包方法に関するものである。
【背景技術】
【０００２】
現在、化粧品はコンビニエンスストア、全国チェーンのドラッグストア等でも販売されている。その販売方法は、特に新製品の場合、目立つように陳列したり、宣伝文を記載した紙を立てたり、テスターやハガキ、試供品を一緒に並べたり、また商品を独自にラッピングしたりする。ここでいうラッピングとは、商品を透明フィルムの容器に入れて、同時に宣伝文記載の紙を入れたりして目立たせることをいう。
【０００３】
このラッピングがされていると、消費者から見ると、裸の商品と比較してその店が非常に推奨しているように見えるか、よく売れているように感じるのである。よって、化粧品メーカーとしては、販売店にこのようなラッピング及びＰＯＰ（広告宣伝看板）や目立つ陳列をしてもらいたいのであるが、それは手間でなかなか行なわない。
【０００４】
また、これとは別に化粧品メーカーがまったく新しい販売店に自己の商品を陳列してもらいたい場合、単に商品を並べるだけでなく、種々の方法で目立つように陳列してほしいと望むことは当然のことである。
【０００５】
しかし、販売店側としては、そのような手間なことはできるだけ避けたい。そのような手間のかかる商品は置きたくないのである。
【０００６】
勿論、メーカーから販売店に商品を持って行き、メーカーの担当者がそこで陳列すればよいが、物理的に日本中のドラッグストアを含む店舗に陳列をする事は不可能である。そのようなことを人海戦術で行なえば、商品のコストアップになってしまい、市場価格に合った商品を消費者に提供することができない。
【発明の開示】
【発明が解決しようとする課題】
【０００７】
そこで、どこの販売店で誰でも簡単に陳列でき、メーカーの者が持参する事なく、送ることができる梱包方法を提供する。
【課題を解決するための手段】
【０００８】
以上のような状況に鑑み、本発明者は鋭意研究の結果本発明梱包方法を完成させたものであり、その特徴とするところは、化粧品又は医薬部外品の梱包方法であって、１つの箱体内に少なくともラッピングした複数の商品、テスター、広告宣伝看板が、陳列できる状態で収納された什器をそのままの状態で取り出せるように梱包した点にある。
【０００９】
本出願でいう什器とは、商品を収納、陳列する容器で、消費者に良く見えるように収納されるものである。床に置くものと卓上用のものがある。材質も金属やプラスチック、厚紙、段ボール等がある。本発明の場合、軽くすることは廃棄の容易性からか厚紙や段ボール製が好ましい。しかし、プラスチックでも十分可能である。
【００１０】
本発明では、この什器に、少なくともラッピングした複数の商品（複数の種類ではなく複数個の意味。勿論複数種でもよい）、テスター、広告宣伝看板が含まれている。
ここでいうラッピングとは、商品を透明フィルム等の袋に入れ、それと共に宣伝用の紙や台紙等をその袋に入れるかカバーのように被せたものである。
テスターとは、そこで少し使用して確かめる商品の見本である。例えば、美容液であれば、それがワンプッシュで出るような容器に入れたもの等である。消費者は、そこでそれを少し出して手に取り、色や感触、香り等を確かめたりする。消費者がその場で商品の良し悪しを決めて購入するかどうかを検討するためのツールである。
【００１１】
広告宣伝看板とは、紙やプラスチック製の簡単な看板のようなもので、後方に立て掛けるような別体でも、什器と一体でも、什器の一部（側面等）を使用してもよい。
【００１２】
この什器を梱包するのであるが、什器を陳列棚にそのまま置ける状態で梱包することがポイントである。よって、梱包効率からすると、商品の詰め方が非効率である、無駄な空間がある等非常に損な詰め方である。しかし、本発明では輸送効率ではなく、メーカーの営業担当者や販売店での手間や人件費の軽減が第１の目的であるので、このような特殊な方法が採用されるのである。
【００１３】
梱包は通常搬送用の段ボール箱等に入れられるが、その箱の底面積と、什器の底面積をほぼ同じにすることが便利である。また、什器を梱包用の箱から取り出すための取り出し具を設けてもよい。この取り出し具は、什器の下方の両側に取り付けられ、上方から手で持てるようなものである。形状としては、限定はしないがテープ状や紐状である。
また、什器とは固定せず、什器の下に載置してそれを引き上げれば、什器が持ち上げられるものでもよい。例えば、什器の幅と同じ程度の幅のシート状体を什器の下に敷き、その両側は什器の横から出ていて手で持てるようななったもの等である。
【００１４】
更に、本発明什器には、試供品交換券を収納しておいてもよい。試供品（無料サンプル）は前記したテスターと異なり、その場で試すのではなく、家に持って帰って使用するものである。よって、通常は１回分を小さな容器（袋や硬質容器等）に入れたもの等である。これは、この什器に多数収納しておいてもよいものである。しかし、什器に無料サンプルを多数置いておくと、１人で多数取る人がいてすぐになくなることが多い。そこで、試供品交換券をそこに置き、その交換券をレジに持っていけばそこで試供品と交換するシステムにする。これならば、１人１個が守られると考えられる。
【００１５】
また、これら以外のものを什器に置いてもよい。例えば、販売元に種々の物品を請求するためのハガキである。これは、説明書やその他のものを販売元に直接送付して種々の物品を送ってもらうよう依頼するものである。これによって、消費者はいろんなものが入手でき、販売元はその商品についての消費者の意見等が聞ける。
【発明の効果】
【００１６】
本発明化粧品又は医薬部外品の梱包方法には次のような大きな効果がある。
（１）  梱包の箱から取り出した状態でそのまま陳列できるため、販売店では商品を飾りつけたり、並べたりする必要がない。
（２）  化粧品等はそれを単に陳列しているだけでは、余程著名な商品でない限り消費者の購買欲は刺激しない。これを種々の機能を持たせた什器に収納することによって販売促進が図れる。
（３）  販売会社から販売店へは単に宅配便等で送付するだけでよい。よって、販売会社の人間が販売店にいく必要がないため、大きな経費の節減になる。
【発明を実施するための最良の形態】
【００１７】
以下図面に示す例に沿って本発明をより詳細に説明する。
【００１８】
図１は、本発明化粧品又は医薬部外品の梱包方法の１例を示す組み立て斜視図である。この例では、化粧品を使用している。
什器１に、ラッピングされたＡ美容液２、Ａ美容液の少量タイプ（３分の１程度の容量）３、Ａ美容液のテスター４、試供品交換券５が収納されている。これは、販売店で商品を陳列する状態、そのままに収納されている。この場合、Ａ美容液２が正規の商品であり、少量タイプ３は容量を約３分の１にして最初の購入者に購入しやすいようにしたものである。またラッピングは、購買欲の刺激のためである。
【００１９】
Ａ美容液のテスター４は、ワンプッシュ容器であり、Ａ美容液がワンプッシュで所定量出るようになっており、簡単に試し使用ができるようになっている。また、広告宣伝看板６は、什器１の背面から延出したものと、什器の前面が兼ねたものである。商品の良さやポイントが記載されている。
【００２０】
この例では、商品はＡ美容液１種類であるが、これは複数の美容液であっても、美容液以外の化粧品等を一緒に収納してもよい。勿論、医薬部外品と混在させてもよい。
【００２１】
この什器１がそのまま輸送用梱包箱（ここでは段ボール製）７に収納されるのであるが、什器１の下方に取り出し具８が収納されている。これは、段ボール製のシートであり、簡単に全体が取り出せるようになっている。
【００２２】
これを梱包箱に収納し、通常通り発送すればよい。受け取った販売店で、開梱したまま置くだけでよい。よって、販売店は化粧品店やドラッグストアだけに限らず、種々の店が可能である。
【図面の簡単な説明】
【００２３】
【図１】本発明梱包方法の１例を示す組み立て斜視図である。
【符号の説明】
【００２４】
１  什器
２  ラッピングされたＡ美容液
３  Ａ美容液の少量タイプ
４  Ａ美容液のテスター
５  試供品交換券
６  広告宣伝看板
７  輸送用梱包箱
８  取り出し具
【図１】
2008068878.tif 000003